(57)【要約】【課題】吸収性物品の使用に不慣れなユーザーが正しい前後方向の向きで吸収性物品を装着できるように誘導すること。【解決手段】吸収性物品（１）と包装材（１０）とを有する吸収性物品包装体（２０）であって、包装材（１０）は、内側になる面側から視認可能であって、上下方向を備える動物図柄（３０）を有し、吸収性物品包装体（２０）を開封して展開し、吸収性物品（１）の肌側から見た状態において、動物図柄（３０）の少なくとも一部が視認可能であり、当該動物図柄（３０）の上下方向が、吸収性物品（１）の前記前後方向に揃っていること。【選択図】図４
2018104100.tif 000002
【特許請求の範囲】
【請求項１】
生理用ナプキン、パンティライナー、又は吸収パッドであって、前後方向を備える吸収性物品と、
前記吸収性物品を包装する包装材と、
を有する吸収性物品包装体であって、
前記包装材は、前記吸収性物品を包装する際に内側になる面側から視認可能であって、上下方向を備える動物図柄を有し、
前記吸収性物品包装体を開封して展開し、前記吸収性物品の肌側から見た状態において、
前記動物図柄の少なくとも一部が視認可能であり、当該動物図柄の前記上下方向が、前記吸収性物品の前記前後方向に揃っていることを特徴とする吸収性物品包装体。
【請求項２】
請求項１に記載の吸収性物品包装体であって、
前記吸収性物品は、その肌側から視認可能であって、上下方向を備える動物図柄を有し、
前記吸収性物品の前記動物図柄は、前記包装材の前記動物図柄と同じ種類の動物であり、
前記吸収性物品の前記動物図柄の上下方向が、前記吸収性物品の前記前後方向に揃っていることを特徴とする吸収性物品包装体。
【請求項３】
請求項２に記載の吸収性物品包装体であって、
前記吸収性物品は、
排泄液を吸収する吸収体、及び、吸収体よりも肌側に位置する肌側シートを備え、
前記吸収体と前記肌側シートとのうちの少なくとも一方が、その厚さ方向に窪んだ凹部を有し、
前記吸収性物品の前記動物図柄は、前記凹部によって形成されていることを特徴とする吸収性物品包装体。
【請求項４】
請求項１から３の何れか１項に記載の吸収性物品包装体であって、
前記吸収性物品包装体を開封して展開し、前記吸収性物品の肌側から見た状態において、前記包装材が有する少なくとも１つの前記動物図柄の全部位が視認可能であることを特徴とする吸収性物品包装体。
【請求項５】
請求項１から４の何れか１項に記載の吸収性物品包装体であって、
前記吸収性物品は、前記吸収性物品の前方領域のうち、前記吸収性物品の幅方向における幅が最も広い幅広部を有し、
前記吸収性物品包装体を開封して展開した状態において、前記幅広部よりも前記幅方向の一方側に延出する前記包装材の前記幅方向の長さは、前記包装材が有する前記動物図柄の前記幅方向の長さ以上であることを特徴とする吸収性物品包装体。
【請求項６】
請求項１から５の何れか１項に記載の吸収性物品包装体であって、
前記包装材は、前記吸収性物品と共に、前記吸収性物品の幅方向に沿う折り位置にて折り畳まれており、
前記吸収性物品包装体を開封して展開した状態において、前記吸収性物品の前記前後方向における、前側の前記包装材の端から最も前側の前記折り位置までの前記前後方向の長さは、前記包装材が有する前記動物図柄の前記前後方向の長さ以上であることを特徴とする吸収性物品包装体。
【請求項７】
請求項１から６の何れか１項に記載の吸収性物品包装体であって、
前記吸収性物品は、ずれ止め用の粘着部を有し、
前記吸収性物品が前記粘着部によって前記包装材に固定されている場合、
前記吸収性物品包装体を開封して展開した状態において、前記吸収性物品の前記前後方向における、前側の前記包装材の端から前側の前記粘着部の端までの前記前後方向の長さは、前記包装材が有する前記動物図柄の前記前後方向の長さ以上であり、
前記吸収性物品が前記粘着部を覆う剥離シートを介して前記包装材に固定されており、前記剥離シートが粘着剤によって前記包装材に固定されている場合、
前記吸収性物品包装体を開封して展開した状態において、前記吸収性物品の前記前後方向における、前側の前記包装材の端から前側の前記粘着剤の端までの前記前後方向の長さは、前記包装材が有する前記動物図柄の前記前後方向の長さ以上であることを特徴とする吸収性物品包装体。
【請求項８】
請求項７に記載の吸収性物品包装体であって、
前記吸収性物品包装体を開封して展開した状態において、前記吸収性物品の前後方向における、前側の前記包装材の端から前側の前記剥離シートの端までの前記前後方向の長さは、前記包装材が有する前記動物図柄の前記前後方向の長さ以上であることを特徴とする吸収性物品包装体。
【請求項９】
請求項１から８の何れか１項に記載の吸収性物品包装体であって、
前記包装材の開封端はテープによって止着されており、
前記吸収性物品包装体を開封して展開した状態において、前記吸収性物品の前記前後方向における前側の前記包装材の端部に、前記テープが固定されていることを特徴とする吸収性物品包装体。
【請求項１０】
請求項１から９の何れか１項に記載の吸収性物品包装体であって、
前記包装材は、前記内側になる面の反対面側から視認可能であって、前記内側になる面側から視認可能な前記動物図柄と同じ種類の動物図柄を有し、
前記内側になる面側から視認可能な前記動物図柄の方が、前記反対面側から視認可能な前記動物図柄に比べて、濃度が濃いことを特徴とする吸収性物品包装体。
【請求項１１】
請求項１から１０の何れか１項に記載の吸収性物品包装体であって、
前記包装材の前記内側になる面側から視認可能な前記動物図柄は、黒色及び黒色と異なる色の有色を有するか、又は、反対色を有することを特徴とする吸収性物品包装体。
【請求項１２】
請求項１から１１の何れか１項に記載の吸収性物品包装体であって、
前記吸収性物品は、排泄液を吸収する吸収体を備え、
前記吸収性物品の外形形状は、前記吸収性物品の前後方向に対称な形状であり、
前記吸収体の形状及び坪量の少なくとも一方は、前記吸収性物品の前後方向に非対称であることを特徴とする吸収性物品包装体。
【請求項１３】
請求項１から１２の何れか１項に記載の吸収性物品包装体を複数内包する吸収性物品のパッケージであって、
前記パッケージは、その外部から視認可能な動物図柄を有し、当該動物図柄は、前記包装材の前記内側になる面側から視認可能な前記包装材が有する前記動物図柄と同じ種類の動物であり、
前記パッケージが有する前記動物図柄の上下方向が、前記パッケージの上下方向に揃っていることを特徴とする吸収性物品のパッケージ。
【請求項１４】
請求項１から１２の何れか１項に記載の吸収性物品包装体を複数内包する吸収性物品のパッケージであって、
前記パッケージは、その外部から前記吸収性物品包装体を視認可能な窓部を有し、
前記吸収性物品包装体は、その外部から視認可能な動物図柄を有し、当該動物図柄は、前記包装材の前記内側になる面側から視認可能な前記包装材が有する前記動物図柄と同じ種類の動物であり、
前記パッケージの前記窓部から視認される前記吸収性物品包装体が有する前記動物図柄の上下方向が、前記パッケージの上下方向に揃っていることを特徴とする吸収性物品のパッケージ。
【発明の詳細な説明】
【技術分野】
【０００１】
本発明は、吸収性物品包装体、及び、吸収性物品のパッケージに関する。
【背景技術】
【０００２】
吸収性物品包装体として、特許文献１には、生理用ナプキン本体が包装シートの上面に重ねて接着された状態で、包装シートをナプキン本体と一緒に３つに折り畳んだ包装生理用ナプキンが開示されている。特許文献１の包装生理用ナプキンでは、バックシートに絵柄が設けられている。
【先行技術文献】
【特許文献】
【０００３】
【特許文献１】特開２００５−１８５８５８号公報
【発明の概要】
【発明が解決しようとする課題】
【０００４】
生理用ナプキン、パンティライナー、又は吸収パッドである吸収性物品の中には、前後方向を備えるものがある。例えば、着用者の臀部側に位置する後側の方が前側に比べて、幅が広く長い形状であったり、排泄口が位置する前側の方が後側に比べて吸収能力が高い構成になっていたりする場合がある。しかし、吸収性物品の使用に不慣れなユーザーは、吸収性物品の前後方向を誤って装着してしまう場合がある。
特許文献１のナプキンに設けられた絵柄は、吸収体が吸収した経血のシミをカムフラージュすることを目的としている。そのため、例示されている絵柄は、比較的大柄の葉や蔓性草花であったり、細かい格子模様であったり、星形等の比較的小さい絵柄が多数散りばめられたものであった。これらの絵柄は方向性を有さず、ユーザーはこれらを見ても吸収性物品の前後方向を知ることはできない。
【０００５】
そこで、本発明は、吸収性物品の使用に不慣れなユーザーが正しい前後方向の向きで吸収性物品を装着できるように誘導する吸収性物品包装体、及び、吸収性物品のパッケージの提供を目的とする。
【課題を解決するための手段】
【０００６】
上記目的を達成するための主たる発明は、生理用ナプキン、パンティライナー、又は吸収パッドであって、前後方向を備える吸収性物品と、前記吸収性物品を包装する包装材と、を有する吸収性物品包装体であって、前記包装材は、前記吸収性物品を包装する際に内側になる面側から視認可能であって、上下方向を備える動物図柄を有し、前記吸収性物品包装体を開封して展開し、前記吸収性物品の肌側から見た状態において、前記動物図柄の少なくとも一部が視認可能であり、当該動物図柄の前記上下方向が、前記吸収性物品の前記前後方向に揃っていることを特徴とする吸収性物品包装体である。
本発明の他の特徴については、本明細書及び添付図面の記載により明らかにする。
【発明の効果】
【０００７】
本発明によれば、吸収性物品の使用に不慣れなユーザーが正しい前後方向の向きで吸収性物品を装着できるように誘導する吸収性物品包装体、及び、吸収性物品のパッケージを提供できる。
【図面の簡単な説明】
【０００８】
【図１】生理用ナプキン１を肌側から見た平面図である。
【図２】図２Ａは包装材１０の内側面１０１を説明する平面図であり、図２Ｂは包装材１０の外側面１０２を説明する平面図である。
【図３】図３Ａは、吸収性物品包装体２０の一方側面、図３Ｂは、吸収性物品包装体２０の他方側面の平面図である。
【図４】吸収性物品包装体２０を開封して展開し、ナプキン１の肌側から見た状態の図である。
【図５】図５Ａ及び図５Ｂは吸収性物品包装体２０の折り畳み方法の説明図である。
【図６】個包装体２０を開封して展開し、ナプキン１の肌側から見た状態の一部の図である。
【図７】図７Ａはナプキン１の粘着部９の説明図であり、図７Ｂはナプキン１の粘着部９の剥離シート１３の説明図である。
【図８】個包装体２０を開封する様子を示す図である。
【図９】図９Ａから図９Ｃは、個包装体２０の変形例の説明図である。
【図１０】個包装体２０のパッケージ４０の概略斜視図である。
【図１１】パッケージ４０の正面４０Ａを示す図である。
【図１２】パッケージ４０の窓部４１の説明図である。
【発明を実施するための形態】
【０００９】
本明細書及び添付図面の記載により、少なくとも以下の事項が明らかとなる。
生理用ナプキン、パンティライナー、又は吸収パッドであって、前後方向を備える吸収性物品と、前記吸収性物品を包装する包装材と、を有する吸収性物品包装体であって、前記包装材は、前記吸収性物品を包装する際に内側になる面側から視認可能であって、上下方向を備える動物図柄を有し、前記吸収性物品包装体を開封して展開し、前記吸収性物品の肌側から見た状態において、前記動物図柄の少なくとも一部が視認可能であり、当該動物図柄の前記上下方向が、前記吸収性物品の前記前後方向に揃っていること。
【００１０】
このような吸収性物品包装体によれば、開封展開時に、吸収性物品と共に包装材の動物図柄を見たユーザーは、包装材の動物図柄の上下方向が吸収性物品の前後方向に対応していることを潜在的に認知しやすい。そのため、正しい前後方向の向きで吸収性物品を装着するようにユーザーを誘導できる。
【００１１】
かかる吸収性物品包装体であって、前記吸収性物品は、その肌側から視認可能であって、上下方向を備える動物図柄を有し、前記吸収性物品の前記動物図柄は、前記包装材の前記動物図柄と同じ種類の動物であり、前記吸収性物品の前記動物図柄の上下方向が、前記吸収性物品の前記前後方向に揃っていること。
【００１２】
このような吸収性物品包装体によれば、開封展開時に、上下方向が揃っている包装材の動物図柄と吸収性物品の動物図柄を見たユーザーは、両動物図柄の上下方向が吸収性物品の前後方向に対応していることを潜在的により認知しやすい。
【００１３】
かかる吸収性物品包装体であって、前記吸収性物品は、排泄液を吸収する吸収体、及び、吸収体よりも肌側に位置する肌側シートを備え、前記吸収体と前記肌側シートとのうちの少なくとも一方が、その厚さ方向に窪んだ凹部を有し、前記吸収性物品の前記動物図柄は、前記凹部によって形成されていることを特徴とする吸収性物品包装体。
【００１４】
このような吸収性物品包装体によれば、一般の吸収性物品が有する凹部を利用して動物図柄を形成することで、吸収性物品の製造工程を容易にできる。
【００１５】
かかる吸収性物品包装体であって、前記吸収性物品包装体を開封して展開し、前記吸収性物品の肌側から見た状態において、前記包装材が有する少なくとも１つの前記動物図柄の全部位が視認可能であること。
【００１６】
このような吸収性物品包装体によれば、開封展開時にユーザーが包装材の動物図柄及びその上下方向を認識しやすい。
【００１７】
かかる吸収性物品包装体であって、前記吸収性物品は、前記吸収性物品の前方領域のうち、前記吸収性物品の幅方向における幅が最も広い幅広部を有し、前記吸収性物品包装体を開封して展開した状態において、前記幅広部よりも前記幅方向の一方側に延出する前記包装材の前記幅方向の長さは、前記包装材が有する前記動物図柄の前記幅方向の長さ以上であること。
【００１８】
このような吸収性物品包装体によれば、包装材の動物図柄が幅方向に欠けにくく、開封展開時にユーザーが包装材の動物図柄及びその上下方向を認識しやすい。
【００１９】
かかる吸収性物品包装体であって、前記包装材は、前記吸収性物品と共に、前記吸収性物品の幅方向に沿う折り位置にて折り畳まれており、前記吸収性物品包装体を開封して展開した状態において、前記吸収性物品の前記前後方向における、前側の前記包装材の端から最も前側の前記折り位置までの前記前後方向の長さは、前記包装材が有する前記動物図柄の前記前後方向の長さ以上であること。
【００２０】
このような吸収性物品包装体によれば、吸収性物品包装体を開封して展開する際に最初に視認される包装材の部位に配置される動物図柄が前後方向に欠けにくく、開封展開時にユーザーが包装材の動物図柄及びその上下方向を認識しやすい。
【００２１】
かかる吸収性物品包装体であって、前記吸収性物品は、ずれ止め用の粘着部を有し、前記吸収性物品が前記粘着部によって前記包装材に固定されている場合、前記吸収性物品包装体を開封して展開した状態において、前記吸収性物品の前記前後方向における、前側の前記包装材の端から前側の前記粘着部の端までの前記前後方向の長さは、前記包装材が有する前記動物図柄の前記前後方向の長さ以上であり、前記吸収性物品が前記粘着部を覆う剥離シートを介して前記包装材に固定されており、前記剥離シートが粘着剤によって前記包装材に固定されている場合、前記吸収性物品包装体を開封して展開した状態において、前記吸収性物品の前記前後方向における、前側の前記包装材の端から前側の前記粘着剤の端までの前記前後方向の長さは、前記包装材が有する前記動物図柄の前記前後方向の長さ以上であること。
【００２２】
このような吸収性物品包装体によれば、開封展開時に吸収性物品からめくれた包装材の部位に配置される動物図柄が前後方向に欠けにくく、ユーザーが包装材の動物図柄及びその上下方向を認識しやすい。
【００２３】
かかる吸収性物品包装体であって、前記吸収性物品包装体を開封して展開した状態において、前記吸収性物品の前後方向における、前側の前記包装材の端から前側の前記剥離シートの端までの前記前後方向の長さは、前記包装材が有する前記動物図柄の前記前後方向の長さ以上であること。
【００２４】
このような吸収性物品包装体によれば、開封展開時に吸収性物品からめくれた包装材の部位に配置される動物図柄が前後方向に欠けにくく、ユーザーが包装材の動物図柄及びその上下方向を認識しやすい。
【００２５】
かかる吸収性物品包装体であって、前記包装材の開封端はテープによって止着されており、前記吸収性物品包装体を開封して展開した状態において、前記吸収性物品の前記前後方向における前側の前記包装材の端部に、前記テープが固定されていること。
【００２６】
このような吸収性物品包装体によれば、吸収性物品包装体を開封して展開する際に最初に視認される吸収性物品の部位側と、動物図柄の上側とが一致する。そのため、正しい前後方向の向きで吸収性物品が装着されやすくなる。
【００２７】
かかる吸収性物品包装体であって、前記包装材は、前記内側になる面の反対面側から視認可能であって、前記内側になる面側から視認可能な前記動物図柄と同じ種類の動物図柄を有し、前記内側になる面側から視認可能な前記動物図柄の方が、前記反対面側から視認可能な前記動物図柄に比べて、濃度が濃いこと。
【００２８】
このような吸収性物品包装体によれば、個包装体を外部から見たユーザーに動物図柄の上下方向が刷り込まれる。さらに、吸収性物品包装体の開封展開時に、濃度の濃い動物図柄がユーザーに認識されやすい。よって、ユーザーは、動物図柄の上下方向が吸収性物品の前後方向に対応していることを潜在的により認知しやすい。
【００２９】
かかる吸収性物品包装体であって、前記包装材の前記内側になる面側から視認可能な前記動物図柄は、黒色及び黒色と異なる色の有色を有するか、又は、反対色を有すること。
【００３０】
このような吸収性物品包装体によれば、包装材の動物図柄が目立ち、ユーザーが包装材の動物図柄を認識しやすい。
【００３１】
かかる吸収性物品包装体であって、前記吸収性物品は、排泄液を吸収する吸収体を備え、前記吸収性物品の外形形状は、前記吸収性物品の前後方向に対称な形状であり、前記吸収体の形状及び坪量の少なくとも一方は、前記吸収性物品の前後方向に非対称であること。
【００３２】
このような吸収性物品包装体によれば、吸収性物品の外観から前後方向を認知しにくい場合にも、ユーザーが正しい前後方向の向きで吸収性物品を装着するように誘導できる。
【００３３】
かかる吸収性物品包装体を複数内包する吸収性物品のパッケージであって、前記パッケージは、その外部から視認可能な動物図柄を有し、当該動物図柄は、前記包装材の前記内側になる面側から視認可能な前記包装材が有する前記動物図柄と同じ種類の動物であり、前記パッケージが有する前記動物図柄の上下方向が、前記パッケージの上下方向に揃っていること。
【００３４】
このような吸収性物品のパッケージによれば、パッケージを見たユーザーに動物図柄の上下方向が刷り込まれる。よって、吸収性物品包装体の開封展開時に、吸収性物品と共に包装材動物図柄を見たユーザーは、動物図柄の上下方向が吸収性物品の前後方向に対応していることを潜在的により認知しやすい。
【００３５】
かかる吸収性物品包装体を複数内包する吸収性物品のパッケージであって、前記パッケージは、その外部から前記吸収性物品包装体を視認可能な窓部を有し、前記吸収性物品包装体は、その外部から視認可能な動物図柄を有し、当該動物図柄は、前記包装材の前記内側になる面側から視認可能な前記包装材が有する前記動物図柄と同じ種類の動物であり、前記パッケージの前記窓部から視認される前記吸収性物品包装体が有する前記動物図柄の上下方向が、前記パッケージの上下方向に揃っていること。
【００３６】
このような吸収性物品のパッケージによれば、パッケージを見たユーザーに動物図柄の上下方向が刷り込まれる。よって、吸収性物品包装体の開封展開時に、吸収性物品と共に包装材の動物図柄を見たユーザーは、動物図柄の上下方向が吸収性物品の前後方向に対応していることを潜在的により認知しやすい。
【００３７】
＝＝＝実施形態＝＝＝
本発明に係る吸収性物品包装体は、生理用ナプキン、パンティライナー（おりものシート）、又は吸収パッドである吸収性物品と、吸収性物品を包装する包装材とを有する。以下の実施形態では、吸収性物品を生理用ナプキンとして説明する。
【００３８】
＜＜生理用ナプキン１の基本構成＞＞
図１は、生理用ナプキン１（以下「ナプキン」ともいう）を肌側から見た平面図である。ナプキン１は、互いに直交する前後方向（長手方向）と幅方向と厚さ方向を有する。前後方向において着用者の腹側となる側が前側であり、着用者の背側となる側が後側である。厚さ方向において着用者に当接する側が肌側であり、その反対側が非肌側である。
【００３９】
ナプキン１は、排泄液を吸収する吸収体２と、吸収体２よりも肌側に配置された液透過性のトップシート３と、吸収体２よりも非肌側に配置された液不透過性のバックシート４を有する。吸収体２としては、パルプ繊維等の液体吸収性繊維に高吸収性ポリマー（所謂ＳＡＰ）を含有させたものを所定の形状に成形したものを例示できる。
【００４０】
また、ナプキン１は、前後方向の略中央部（詳しくは着用者の排泄口に当接する排泄口当接部）において、幅方向の外側に延出した一対のウイング部５を有する。図１に示すように、前後方向においてウィング部５が位置するナプキン１の領域を中央領域１Ｂとし、中央領域１Ｂよりも前側のナプキン１の領域を前方領域１Ａとし、中央領域１Ｂよりも後側のナプキン１の領域を後方領域１Ｃとする。
【００４１】
また、ナプキン１は、吸収体２とトップシート３（肌側シート）とのうちの少なくとも一方が、その厚さ方向に窪んだ圧縮凹部７（凹部）を有している。本実施形態では、トップシート３の肌側面からトップシート３及び吸収体２が厚さ方向に圧縮され、トップシート３及び吸収体２が接合一体化されている。圧縮凹部７によって、吸収体２の型崩れを防止でき、吸収体２の液拡散性を向上させることができる。
【００４２】
また、圧縮凹部７は、吸収体２の外周縁部において、多数の点状圧縮部８が間隔を空けて線状に並ぶことにより構成されており、全体として前後方向に長い略環状を成している。さらに、本実施形態の圧縮凹部７は動物の形状（図１では猫）を成している。つまり、本実施形態のナプキン１には、圧縮凹部７によって、ナプキン１の肌側から視認可能な「動物図柄３２」が形成されている。ただし、圧縮凹部７はナプキン１の肌側から視認可能であればよく、例えば、吸収体２のみが圧縮されて動物図柄を形成していてもよい。また、トップシート３のみにエンボス加工を施すことで動物図柄を設けてもよい。また、バックシート４側から圧縮されていてもよい。
【００４３】
なお、圧縮凹部７では、周囲に比べて吸収体２の厚みが薄く、密度が高くなっている。これらの比較は周知の方法で行うとよい。吸収体２の厚みの比較としては、ミツトヨ（株）製のダイアルシックネスゲージＩＤ−Ｃ１０１２Ｃ又はそれと同等のものを使用し、対象部位を加圧して測定した値を取得して比較する方法や、目視で比較する方法を例示できる。吸収体２の密度の比較としては、ナプキン１から対象部位をサンプルとして切り出し、サンプルの質量及び面積を測定し、サンプルの質量を面積で除することで得られた単位面積当たりの質量（ｇ／ｍ2）を、上記の方法で取得した厚み（ｍ）で除することで得られた値（ｇ／ｍ3）を比較する方法を例示できる。
【００４４】
また、図１に示すナプキン１の構成は一例であり、これに限定されない。例えば、ウィング部を有さないナプキンでもよい。その場合、ナプキンの前端から、ナプキン１の前後方向における全長の１／３の長さまでの領域を前方領域とする。また、例えば、トップシートの幅方向の両側部から幅方向の外側に延出する一対のサイドシートを有し、サイドシート及びバックシートによってウィング部を構成するナプキン等であってもよい。
【００４５】
＜＜包装材１０について＞＞
図２Ａは、包装材１０の内側面１０１を説明する平面図であり、図２Ｂは、包装材１０の外側面１０２を説明する平面図である。包装材１０は、長方形状であるシート状の部材であり、長手方向及び幅方向を有するとともに、内側面１０１、及び、内側面１０１の反対面である外側面１０２を有する。包装材１０の内側面１０１は、ナプキン１を包装する際に内側になる面である。包装材１０の外側面１０２は、ナプキン１を包装材１０で包装した吸収性物品包装体２０（後述の図３Ａ参照）の外部から視認される面である。
【００４６】
包装材１０の長手方向における一方側の端部には、包装材１０の開封端１０ａを止着するテープ１１が設けられている。テープ１１は、その一部が包装材１０の長手方向の外側に延出するように、包装材１０の外側面１０２に接着剤等で固定されている。
【００４７】
また、包装材１０は、内側面１０１側から視認可能である複数の動物図柄３０と、外側面１０２側から視認可能である複数の動物図柄３１とを有する。本実施形態では、内側面１０１に印刷された動物図柄３０が外側面１０２側に透けて視認されるものとする。よって、外側面１０２側から視認される動物図柄３１は、内側面１０１側から視認される動物図柄３０が反転した図柄となっている。
【００４８】
本実施形態の動物図柄３０，３１は、猫であり、猫の頭部３０１，３１１と胴体３０２，３１２と尻尾３０３，３１３と猫の首に付けられたリボン３０４，３１４を有する。よって、動物図柄３０，３１は互いに直交する上下方向及び幅方向を有する。上下方向において、猫の頭部３０１，３１１側が上側であり、猫の尻尾３０３，３１３側が下側である。
【００４９】
また、動物図柄３０，３１は、その上下方向が包装材１０の長手方向に揃うように配置されている。包装材１０の長手方向の一方側（テープ１１側）が動物図柄３０，３１の上側となっている。また、全ての動物図柄３０，３１が同じ向きに配置されている。
【００５０】
また、複数の動物図柄３０，３１は包装材１０の長手方向及び幅方向に間隔を空けて並んで配置されるとともに、包装材１０の長手方向に隣り合う動物図柄３０，３１は幅方向にずれて配置されている。つまり、複数の動物図柄３０，３１は千鳥状に配置されている。
【００５１】
包装材１０の地色は白色であっても有色であってもよい。本実施形態のナプキン１の主な着用対象者は、例えばナプキンの使用期間が短いユーザーである若年層や、そのブランドの商品の使用を開始して間もないユーザー等である。そのため、本実施形態では、若年層が好む傾向にあるピンク色の印刷を白色のシートに施して包装材１０とした。また、動物図柄３０，３１における猫の部位３０１〜３０３，３１１〜３１３を黒色とし、猫のシルエットを表すものとする。また、猫に付けられたリボン３０４，３１４は包装材１０のピンク色よりも濃いピンク色とする。
【００５２】
また、図示しないが、包装材１０は、動物図柄３０，３１とは別の図柄や、商品名やサイズ等を示す文字を有していてもよい。また、包装材１０の地色は１色で構成されるに限らず、例えば淡いピンク色と濃いピンク色の縞模様で構成されていてもよい。
【００５３】
＜＜吸収性物品包装体（個包装体）２０について＞＞
図３Ａは、吸収性物品包装体２０の一方側面（テープ１１が止着されている側の面）の平面図であり、図３Ｂは、吸収性物品包装体２０の他方側面の平面図である。図４は、吸収性物品包装体２０を開封して展開し、ナプキン１の肌側から見た状態の図である。図５Ａ及び図５Ｂは、吸収性物品包装体２０の折り畳み方法の説明図である。
【００５４】
吸収性物品包装体２０は、包装材１０によってナプキン１が個別に包装されたものである（以下「個包装体」ともいう）。個包装体２０では、図４に示すように、包装材１０の内側面１０１上に、ナプキン１がその肌側面を上にして配置されている。また、包装材１０の長手方向がナプキン１の前後方向に沿い、かつ、包装材１０の幅方向がナプキン１の幅方向に沿っている。
【００５５】
本実施形態の個包装体２０では、包装材１０が、ナプキン１と共にナプキン１の肌側面を内側にし、幅方向に沿う２つの折り位置ＦＬ１，ＦＬ２にて折り畳まれているものとする。なお、折り位置の数は２つに限らず、１つでも３つ以上であってもよい。また、個包装体２０は、幅方向に沿う折り位置だけでなく、包装材１０の長手方向に沿う折り位置にて折り畳まれていてもよい。
【００５６】
個包装体２０では、図３Ａ及び図３Ｂに示すように、包装材１０の幅方向の両側端部１３が接合されている。接合方法は、例えば、ヒートシール、超音波シール、接着剤、これらの組み合わせ等、周知の接合方法を例示できる。また、テープ１１が包装材１０の外側面１０２に固定され、包装材１０の開封端１０ａはテープ１１によって止着されている。
【００５７】
テープ１１が把持されて、ナプキン１の前側の折り位置ＦＬ１での折りが展開されると、図５Ｂの状態になる。この時、ナプキン１のウィング部５は幅方向の内側に折り返されており、ウィング部５の上面の粘着部５Ａ（図５Ａ参照）は剥離シート１２で覆われている。ちなみに、ウィング部５は、ナプキン１の着用時において、着用者の下着の非肌側面側に折り返され、粘着部５Ａによって下着の非肌側面に固定される。さらに、ナプキン１の後側の折り位置ＦＬ２での折りが展開されると、図５Ａの状態となる。
【００５８】
＜＜個包装体２０の動物図柄について＞＞
図６は、個包装体２０を開封して展開し、ナプキン１の肌側から見た状態の一部の図である。図７Ａは、ナプキン１の粘着部９の説明図であり、図７Ｂは、ナプキン１の粘着部９の剥離シート１３の説明図である。図８は、個包装体２０を開封する様子を示す図である。
【００５９】
前述のように個包装体２０の包装材１０は、ナプキン１を包装する際に内側になる内側面１０１側から視認可能であって、上下方向を備える動物図柄３０（猫）を有する。以下の説明では、包装材１０の内側面１０１側から視認可能な動物図柄３０を、「包装材内側面の動物図柄３０」や「包装材の動物図柄３０」ともいう。
【００６０】
そして、個包装体２０を開封して展開し、ナプキン１の肌側から見た状態において（図４参照）、包装材内側面の動物図柄３０の少なくとも一部が視認可能であるとする。つまり、ナプキン１から延出する包装材１０の余白領域に（包装材１０におけるナプキン１の非配置領域に）、包装材内側面の動物図柄３０の少なくとも一部が配置されているとする。さらに、その動物図柄３０の上下方向が、ナプキン１の前後方向に揃っているとする。すなわち動物図柄３０の上下方向がナプキン１の前後方向に沿って略平行であり、動物図柄３０の上側がナプキン１の前側と一致している。なお、包装材１０及びナプキン１の幅方向と、動物図柄３０の幅方向も揃っている。
【００６１】
そのため、ナプキン１を使用するために個包装体２０を開封して展開したユーザーは、ナプキン１と共に、上下方向を備える動物図柄３０を見ることになる。この時、ユーザーは、包装材内側面の動物図柄３０の上下方向がナプキン１の前後方向に対応していることを、潜在的に認知しやすい。そのため、ユーザーは、無意識のうちに、動物図柄３０の上側に位置していたナプキン１の前方領域１Ａを自身の前側（腹側）に合わせて、ナプキン１を装着しやすくなる。よって、ナプキン１の使用に不慣れなユーザーであっても、正しい前後方向の向きでナプキン１を装着するように誘導できる。
【００６２】
動物図柄３０の代わりに、ナプキン１の前後方向を示す「矢印」や「前側」といった文字等を設けた場合にも、正しい前後方向の向きでナプキン１が装着されやすくなる。しかし、上記のような、方向を示す直接的な表現である場合、ナプキン１の前後方向を確認して装着しなければならにというプレッシャーをユーザーに与えてしまう。
【００６３】
一方、本実施形態では、動物図柄３０の上下方向に基づいて、ナプキン１の前後方向をユーザーに示唆する。そのため、ユーザーが正しい前後方向の向きでナプキン１を装着するように自然に誘導できる。よって、ユーザーがナプキン１の前後方向を確認する手間を軽減でき、短時間でナプキン１を装着できる。例えば、ナプキン１の使用に不慣れな女子小中高生は、学校の休み時間等の決められた時間内にナプキン１を交換することが多い。そのため、本実施形態のように短時間で装着できるナプキン１が有効である。
【００６４】
また、ナプキン１の前後方向を示す図柄として動物図柄を採用することで、個包装体２０が可愛らしいデザインとなる。よって、生理期間中の憂鬱な気分も緩和できる。
【００６５】
なお、包装材１０の内側面１０１側から視認可能な動物図柄３０、及び、以下に説明する動物図柄は、それらを見たユーザーが動物の上下方向を分かる図柄であればよい。例えば、猫に限らず、クマやウサギ等の別の動物であってもよい。また、表情（目口鼻等）が描かれた図柄や、頭だけの図柄（例えば後述の図９Ａ参照）等であってもよい。
【００６６】
また、図１に示すように、本実施形態のナプキン１の外形形状は、ナプキン１の前後方向に対称な形状となっている。ただし、吸収体２の坪量（ｇ／ｍ2）は、ナプキン１の前後方向に非対称となっている。具体的に説明すると、吸収体２は、中央部分に高坪量領域２Ａを有し、高坪量領域２Ａの周囲に低坪量領域２Ｂを有する。ただし、ナプキン１を前後方向に２等分する中心線ＣＬ１に対して、高坪量領域２Ａが前側に寄って配置されている。そうすることで、着用者の排泄口が位置する前側の吸収能力が高まる。
【００６７】
このように、ナプキン１の機能向上のため、吸収体２の形状及び坪量の少なくとも一方が、ナプキン１の前後方向に非対称である場合がある。つまり、ナプキン１の外観は前後対称であるが、ナプキン１の外観から視認不可能な吸収体２が前後非対称である場合がある。この場合、ユーザーはナプキン１の前後方向を認知しにくく、誤った前後方向の向きでナプキン１を装着しやすくなる。よって、本発明が有効となる。
【００６８】
なお、吸収体２の坪量（単位面積当たりの質量）の比較は周知の方法で行うとよい。例えば、ナプキン１から対象部位をサンプルとして切り出し、サンプルの質量及び面積を測定し、サンプルの質量を面積で除することで得られた値（ｇ／ｍ2）で比較するとよい。また、ナプキン１を前後方向に沿って切った断面に基づいて比較してもよい。
【００６９】
また、ナプキン１は、その肌側から視認可能であって、圧縮凹部７によって形成された動物図柄３２を有する。ナプキン１の動物図柄３２は、上下方向を有し、また、包装材内側面の動物図柄３０と同じ種類の動物、すなわち猫である。
【００７０】
そして、ナプキン１の動物図柄３２の上下方向が、ナプキン１の前後方向に揃っている。すなわちナプキン１の動物図柄３２の上下方向がナプキン１の前後方向に沿って略平行であり、ナプキン１の動物図柄３２の上側がナプキン１の前側と一致している。具体的に説明すると、図１に示すように、ナプキン１の前方領域１Ａに猫の頭部３２１が位置し、ナプキン１の中央領域１Ｂに猫の胴体３２２が位置し、ナプキン１の後方領域１Ｃに猫の尻尾３２３が位置している。
【００７１】
この場合、個包装体２０を開封して展開したユーザーは、上下方向が揃っている包装材内側面の動物図柄３０とナプキン１の動物図柄３２を同時に見ることになる。そのため、ユーザーは、両動物図柄３０，３２の上下方向がナプキン１の前後方向に対応していることを、潜在的により認知しやすくなる。よって、ユーザーが正しい前後方向の向きでナプキン１を装着するように誘導できる。
【００７２】
また、ナプキン１が動物図柄３２を有することで、ナプキン１が包装材１０から分離した後も、包装材内側面の動物図柄３０に対してナプキン１がどの向きで配置されていたかが分かりやすい。換言すると、個包装体２０を開封して展開した状態（図４）を見たユーザーの潜在意識には、ナプキン１の動物図柄３２の上下方向がナプキン１の前後方向に対応することが刷り込まれる。そのため、ナプキン１が単体になった後も、ユーザーは、ナプキン１の動物図柄３２の上下方向に基づいて、正しい前後方向の向きでナプキン１を装着しやすくなる。その他、ナプキン１が動物図柄３２を有することによって、ナプキン１単体のデザイン性も向上する。
【００７３】
なお、ナプキン１の動物図柄３２が、包装材内側面の動物図柄３０と同じ種類の動物であるとは、例えば両動物図柄３２，３０が共に猫の図柄であればよく、両動物図柄３２，３０が同一形状又は相似形状であるものに限定されず、異なる形状であってもよい。以下に説明する他の動物図柄（包装材の外側面１０２側から視認可能な動物図柄３１やパッケージ４０の動物図柄３５）についても同様である。
【００７４】
また、一般のナプキンでは、吸収体の型崩れ防止等の目的で圧縮凹部が形成される。その圧縮凹部７によって動物図柄３２を形成することで、圧縮凹部７とは別に、例えば印刷等でナプキン１に動物図柄を設ける場合に比べて、ナプキン１の製造工程を容易にでき、低コスト化を図れる。また、ナプキンの表面は一般に白いが、圧縮凹部７によれば、３次元的な陰影又は吸収性繊維の粗密で動物図柄３２を表現できる。よって、インク等を使用せずに又は使用量を減らして動物図柄３２を表現できる。
【００７５】
また、圧縮凹部７によって形成された動物図柄３２は、排泄液の吸収後も視認可能である。よって、ユーザーは、ナプキン１の使用後も、ナプキン１の動物図柄３２の上下方向に基づいて、正しい前後方向の向きでナプキン１を装着していたかを確認できる。
【００７６】
また、ナプキン１の折り位置ＦＬ２（図５Ａ参照）において、吸収体２を幅方向に３等分し、左側領域、中央領域、右側領域に分けた場合の、いずれかの領域において、長手方向に延びた一対の圧搾部３２４，３２５が設けられているとよい。本実施形態では、ナプキン１の後方領域１Ｃであり、吸収体２の右側領域に、長手方向に延びた一対の圧搾部３２４，３２５が設けられている。この一対の圧搾部３２４，３２５によって、猫の尻尾が表されている。
【００７７】
このように、幅方向の狭い吸収体２の領域に、一対の圧搾部３２４，３２５が設けられていることで、吸収体２の剛性が高まり、吸収体２のよれや崩れを抑制できる。特に、着用者の臀部に当接するナプキン１の後方領域１Ｃは、臀部の動きによって吸収体２がよれやすいが、ナプキン１の使用後も、一対の圧搾部３２４，３２５による猫の尻尾部分の形状が維持されやすい。ナプキン１の使用後に、猫の尻尾部分の形状が維持されることで、猫全体の図柄も視認されやすくなる。
【００７８】
また、個包装体２０を開封して展開し、ナプキン１の肌側から見た状態（図４）において、包装材内側面の複数の動物図柄３０のうちの少なくとも１つの動物図柄３０（３０Ａ）の全部位が視認可能であることが好ましい。つまり、ナプキン１から延出する包装材１０の余白領域に、ナプキン１と重ならず、かつ、包装材１０の端で欠けていない動物図柄３０が設けられているとよい。
【００７９】
そうすることで、ユーザーは、個包装体２０を開封して展開した状態において、欠けていない動物図柄３０（３０Ａ）を視認できる。そのため、ユーザーは、包装材内側面の動物図柄３０（３０Ａ）及びその上下方向を認識しやすく、包装材内側面の動物図柄３０の上下方向がナプキン１の前後方向に対応していることを、潜在的により認知しやすい。よって、正しい前後方向の向きでナプキン１が装着されやすくなる。
【００８０】
また、ユーザーは、個包装体２０を開封して展開する際に、まず、テープ１１を把持して折り位置ＦＬ１での折りを展開し、個包装体２０を図５Ｂの状態にする。一般に、最初に展開して視認されたナプキン１の部位（１Ａ）側が、ナプキン１の前後方向における前側であると認識されやすい。そこで、個包装体２０を開封して展開した状態（図４）において、ナプキン１の前後方向における前側の包装材１０の端部に、テープ１１が固定されていることが好ましい。
【００８１】
そうすることで、ユーザーは、個包装体２０を開封して展開する際に最初に視認されるナプキン１の部位（１Ａ）側と、包装材内側面の動物図柄３０の上側とが一致している状態を見る。そのため、ユーザーは、包装材内側面の動物図柄３０の上下方向がナプキン１の前後方向に対応していることを、潜在的により認知しやすく、正しい前後方向の向きでナプキン１を装着しやすくなる。
【００８２】
また、ユーザーは、最初に個包装体２０を展開した状態（図５Ｂ）において視認される包装材内側面の動物図柄３０に着目しやすい。そのため、前側の折り位置ＦＬ１よりも前側の包装材１０の余白領域に、欠けていない動物図柄３０Ａが配置されていることが好ましい。さらに、個包装体２０を開封して展開した状態において、包装材内側面３０の動物図柄３０の大きさは、以下に説明する大きさであることが好ましい。
【００８３】
なお、本実施形態では、包装材内側面の動物図柄３０の大きさは全て同じとする。図６に示すように、包装材内側面の動物図柄３０の上下方向の最大長さをＬ２とし、幅方向における最大幅をＷ３とする。包装材内側面の動物図柄３０の大きさが異なる場合には、最小の動物図柄３０の大きさが以下の大きさであるとよく、より好ましくは最大の動物図柄３０の大きさが以下の大きさであるとよい。
【００８４】
まず、ナプキン１は、図６に示すように、ナプキン１の前方領域１Ａのうち、ナプキン１の幅が最も広い幅広部１Ａ１を有する。その幅広部１Ａ１よりも幅方向の一方側に延出する包装材１０の幅方向の長さ（Ｗ１とＷ２とのうちの少なくとも一方）は、包装材内側面の動物図柄３０の最大幅Ｗ３以上であることが好ましい。すなわち、Ｗ１≧Ｗ３かつＷ２≧Ｗ３である場合と、Ｗ１≧Ｗ３かつＷ２＜Ｗ３である場合と、Ｗ１＜Ｗ３かつＷ２≧Ｗ３である場合の何れかであることが好ましい。
【００８５】
そうすることで、ナプキン１から幅方向の外側に延出する包装材１０の余白領域に、幅方向に欠けていない動物図柄３０や、幅方向に欠けた部位の小さい動物図柄３０が配置されやすい。よって、動物図柄３０及びその上下方向がユーザーに認識されやすくなる。
【００８６】
また、ナプキン１の前後方向において、前側の包装材１０の端１０ａから、最も前側の折り位置ＦＬ１までの前後方向の長さＬ１は、包装材内側面の動物図柄３０の最大長さＬ２以上であることが好ましい（Ｌ１≧Ｌ２）。
【００８７】
そうすることで、最初に個包装体２０を展開した状態（図５Ｂ）において、ナプキン１から延出する包装材１０の余白領域に、上下方向に欠けていない動物図柄３０や、上下方向に欠けた部位の小さい動物図柄３０が配置されやすい。よって、動物図柄３０及びその上下方向がユーザーに認識されやすくなる。
【００８８】
ユーザーは、欠けていない動物図柄３０や欠けた部位の少ない動物図柄３０を、ナプキン１と共に見ることで、動物図柄３０の上下方向がナプキン１の前後方向に対応していることを、潜在的により認知しやすい。よって、正しい前後方向の向きでナプキン１が装着されやすくなる。
【００８９】
また、ナプキン１（ウィング部５以外の本体部分）は、バックシート４の非肌側面に、ずれ止め用の粘着部９（本発明の粘着部）を有する。ナプキン１の着用時において、ナプキン１は粘着部９によって着用者の下着の肌側面に固定される。図７Ａでは粘着部９をナプキン１の肌側面に仮想的に示している。
【００９０】
包装材１０に粘着部９を覆う剥離シートが設けられておらず、ナプキン１が粘着部９によって包装材１０に直接固定される場合がある。その場合、図７Ａに示すように、ナプキン１の前後方向において、前側の包装材１０の端１０ａから、前側の粘着部９の端９ａまでの前後方向の長さＬ３は、包装材内側面の動物図柄３０の前後方向の長さＬ２以上であることが好ましい（Ｌ３≧Ｌ２）。
【００９１】
一方、ナプキン１が粘着部９を覆う剥離シート１３を介して包装材１０に固定され、図７Ｂに示すように、剥離シート１３が粘着剤１４によって包装材１０に固定されている場合がある。その場合、ナプキン１の前後方向において、前側の包装材１０の端１０ａから前側の粘着剤１４の端１４ａまでの前後方向の長さＬ４は、包装材内側面の動物図柄３０の前後方向の長さＬ２以上であることが好ましい（Ｌ４≧Ｌ２）。
【００９２】
また、包装材１０に剥離シート１３が設けられている場合、より好ましくは、ナプキン１の前後方向において、前側の包装材１０の端１０ａから前側の剥離シート１３の端１３ａまでの前後方向の長さＬ５は、包装材内側面の動物図柄３０の前後方向の長さＬ５以上であるとよい（Ｌ５≧Ｌ２）。
【００９３】
これは、例えば、ユーザーが個包装体２０を開封して展開する際に、図８に示すように粘着剤１４の端１４ａを起点に包装材１０がめくれたり、図示しないがナプキン１の粘着部９の端９ａを起点に包装材１０がめくれたりしやすいからである。その場合に、包装材内側面の動物図柄３０の大きさを上記にすることで、ナプキン１からめくれた包装材１０の部位に（例えば図８の太線で囲われた部位に）、上下方向に欠けていない動物図柄３０や上下方向に欠けた部位の小さい動物図柄３０が配置されやすい。よって、動物図柄３０及びその上下方向がユーザーに認識されやすくなる。
【００９４】
ナプキン１からめくれた包装材１０の部位の動物図柄３０を見たユーザーの潜在意識には、動物図柄３０の上下方向が刷り込まれる。そのため、個包装体２０を開封して展開した状態（図４）において、動物図柄３０と共にナプキン１を見たユーザーは、動物図柄３０の上下方向がナプキン１の前後方向に対応していることを、潜在的により認知しやすい。よって、ユーザーが正しい前後方向の向きでナプキン１を装着するように誘導できる。
【００９５】
また、本実施形態では、包装材内側面の動物図柄３０が黒色（猫の部位）とピンク色（リボンの部位）で構成される。このように包装材内側面の動物図柄３０が、黒色、及び、黒色と異なる色の有色を有することが好ましい。また、包装材内側面の動物図柄３０が反対色を有していてもよい。例えば、動物図柄が、緑系統の色と、その反対色となる赤系統の色を有するとよい。
【００９６】
そうすることで、包装内側面の動物図柄３０が目立ち、ユーザーに認識されやすくなる。よって、動物図柄３０とナプキン１を共に見たユーザーは、動物図柄３０の上下方向がナプキン１の前後方向に対応していることを潜在的により認知しやすく、正しい前後方向の向きでナプキン１を装着しやすくなる。
【００９７】
なお、有色とは、無色透明及び白色以外の色とする。白色とは、例えば、マンセル表色系で「Ｎ９．５」と表される色や、ＲＧＢ色空間で「２５５，２５５，２５５」と表される色（所謂真っ白）に加え、真っ白との色差が１２未満である色も白色に含まれるものとする。
また、黒色と異なる色とは、例えば、黒色との色差が１３以上の色とする。その他、色見本（例えば、日本工業規格ＪＩＳ  Ｚ８１０２：２００１の付表１）で示される色名が黒色ではない色であってもよい。
また、反対色とは、例えば、オストワルト色相環において、正反対の位置にある色同士（補色）や、ある色及びある色の正反対の位置の隣に位置する色同士とする。
【００９８】
また、本実施形態では、包装材１０の内側面１０１に印刷された動物図柄３０が、外側面１０２側に透けて視認されている。よって、包装材１０は、外側面１０２（反対面）側から視認可能であって、内側面１０１側から視認可能な動物図柄３０と同じ種類の動物図柄３１を有することになる。また、両動物図柄３０，３１は同じ黒色であるが、内側面１０１側から視認可能な動物図柄３０の方が、外側面１０２側から視認可能な動物図柄３１に比べて、濃度が濃く、視認性が高くなっている。
【００９９】
そのため、個包装体２０を開封する前に、外側面１０２側から視認される動物図柄３１を見たユーザーの潜在意識に、動物図柄３１が刷り込まれる。そして、個包装体２０の開封後も、ユーザーは、潜在意識に刷り込まれた動物図柄３１と同じ種類の動物図柄３０を、ナプキン１と共に見ることになる。特に、包装材内側面の動物図柄３０の濃度は濃いため、包装材内側面の動物図柄３０がユーザーに認識されやすい。よって、ユーザーは、動物図柄３０の上下方向がナプキン１の前後方向に対応していることを潜在的により認知しやすく、正しい前後方向の向きでナプキン１を装着しやすくなる。
【０１００】
ただし、上記に限らず、例えば、包装材１０は、包装材１０の外側面１０２側から視認可能な動物図柄３１を有していなくてもよい。また、包装材１０の外側面１０２に動物図柄が印刷されて濃淡が逆であってもよいし、各面１０１，１０２に個別に動物図柄３０，３１が印刷されてもよい。また、包装材１０が有する動物図柄３０，３１は印刷によって形成するに限らず、例えば、エンボスパターンで形成されていてもよい。
【０１０１】
また、動物図柄３０，３１の濃度の比較は周知の方法で行うとよい。例えば、測色器（コニカミノルタ社製の色彩色差計ＣＲ−３００等）を用いて、両動物図柄３０，３１の「色差」を測定する方法を例示できる。
【０１０２】
具体的に説明すると、まず、測定対象の包装材１０の下に、白色の不織布（１５ｇ／ｍ2のＳＭＳ不織布）１０枚を配置する。
次に、色差計を用いて、剥離シート１２，１３が位置しない動物図柄３０，３１の部位、及び、白色の不織布を測定する。内側面１０１側から視認可能な動物図柄３０を測定する場合には、包装材１０の内側面１０１を上にし、外側面１０２側から視認可能な動物図柄３１を測定する場合には、包装材１０の外側面１０２を上にする。なお、測定値（Ｌ*値、ａ*値、ｂ*値）は、複数回（例えば５回）測定した値の平均値を用いるとよい。  
次に、白色の不織布の測定結果と、各動物図柄３０，３１の測定結果との差（ΔＬ*、Δａ*、Δｂ*）に基づき、白色に対する各動物図柄３０，３１の色差ΔＥ*ａｂを次式にて算出する。
ΔＥ*ａｂ＝[（ΔＬ*）2＋（Δａ*）2＋（Δｂ*）2]1/2
この色差ΔＥ*ａｂが大きいほど、動物図柄３０，３１の色差が大きいといえる。
【０１０３】
また、内側面１０１側から視認可能な動物図柄３０、及び、外側面１０２側から視認可能な動物図柄３１が、同色である場合（ここでは黒色）、両動物図柄３０，３１の色差ΔＥ*ａｂは６．５以上であることが好ましい。そうすることで、各動物図柄３０，３１を見たユーザーは、異なる印象を持ちやすく、濃い方の動物図柄３０をより認識しやすくなる。
【０１０４】
＜＜個包装体２０の変形例について＞＞
図９Ａから図９Ｃは、個包装体２０の変形例の説明図である。
前述のナプキン１（図１）は、ナプキン１の前後方向の広い範囲に亘る動物図柄３２を１つ有していたが、これに限らない。例えば、図９Ａに示すように、ナプキン１の一部に小さい動物図柄３３を複数（又は１つ）設けてもよい。
【０１０５】
また、トップシート３及び吸収体２を圧縮した圧縮凹部７によって、ナプキン１の動物図柄３２を形成するに限らない。例えば、図９Ｂに示すように、ナプキン１の幅方向の両側部に形成された溶着部１Ｄのパターンによって、ナプキン１の動物図柄３４を形成してもよい。また、ナプキン１の肌側面に動物図柄を印刷してもよい。
【０１０６】
また、図９Ｃに示すように、ナプキン１が、包装材内側面の動物図柄３０と同じ種類の動物図柄を有していなくてもよい。
【０１０７】
＜＜個包装体２０のパッケージ４０について＞＞
図１０は、個包装体２０のパッケージ４０の概略斜視図である。図１１は、パッケージ４０の正面４０Ａを示す図である。図１２は、パッケージ４０の窓部４１の説明図である。図１０に示すように、個包装体２０はパッケージ４０（袋体）に複数内包された状態で流通する。
【０１０８】
本実施形態のパッケージ４０は、略直方体形状であり、正面４０Ａと、正面４０Ａに対向する裏面と、互いに対向する一対の側面４０Ｂと、互いに対向する上面４０Ｃ及び下面を有する。また、パッケージ４０は、互いに直交する横方向と上下方向と奥行方向を有する。パッケージ４０が有する面のうち、商品名４２（図１１参照）が最も大きく書かれた面を正面４０Ａとする。そして、正面４０Ａに書かれた商品名４２の上下方向をパッケージ４０の上下方向とする。なお、パッケージ４０の形状は、図１０に示すものに限定されず、例えば、筒状の包装材の上下を封じた袋形状のものであってもよい。
【０１０９】
パッケージ４０内では、複数の個包装体２０がその厚み方向（図３Ａの紙面に直交する方向）に重ねられている。複数の個包装体２０が重ねられた方向がパッケージ４０の横方向に沿い、個包装体２０の幅方向がパッケージ４０の奥行方向に沿っており、個包装体２０の平面がパッケージ４０の側面４０Ｂに対向している。
【０１１０】
そして、本実施形態のパッケージ４０は、図１１に示すように、パッケージ４０の外部から視認可能な動物図柄３５を有する。例えばパッケージ４０の外表面に動物図柄３５が印刷されている。
【０１１１】
パッケージ４０の動物図柄３５は、個包装体２０の包装材１０の内側面１０１側から視認可能な動物図柄３０（図４参照）と同じ種類の動物、すなわち猫とする。さらに、パッケージ４０の動物図柄３５の上下方向が、パッケージ４０の上下方向に揃っている。すなわち動物図柄３５の上下方向がパッケージ４０の上下方向に沿って略平行であり、動物図柄３５の上側がパッケージ４０の上側と一致している。
【０１１２】
また、本実施形態のパッケージ４０は、図１２に示すように、透明性を備えた窓部４１を有する。窓部４１よって、パッケージ４０の外部から個包装体２０の一部が視認可能となっている。また、窓部４１はパッケージ４０の側面４０Ｂに設けられている。よって、窓部４１から個包装体２０の動物図柄３１が視認可能となっている。
【０１１３】
窓部４１から視認される個包装体３１の動物図柄３１は、包装材１０の外側面１０２側から視認可能な動物図柄３１であり、包装材１０の内側面１０１側から視認可能な動物図柄３０（図４参照）と同じ種類の動物図柄３１（すなわち猫）である。さらに、窓部４１から視認される個包装体２０の動物図柄３１の上下方向が、パッケージ４０の上下方向に揃っている。すなわち動物図柄３１の上下方向がパッケージ４０の上下方向に沿って略平行であり、動物図柄３１の上側がパッケージ４０の上側と一致している。
【０１１４】
そのため、パッケージ４０に印刷された動物図柄３５の上下方向がパッケージ４０の上下方向に揃っている状態（図１１）や、窓部４１から視認される個包装体２０の動物図柄３１の上下方向がパッケージ４０の上下方向に揃っている状態（図１２）を見たユーザーの潜在意識には、動物図柄３５，３１の上下方向が刷り込まれる。よって、個包装体２０を開封して展開した状態（図４）において、パッケージ４０の外部から見た動物図柄３５，３１と同じ種類の動物図柄３０をナプキン１と共に見たユーザーは、動物図柄３０の上下方向がナプキン１の前後方向に対応していることを潜在的により認知しやすい。よって、正しい前後方向の向きでナプキン１が装着されやすくなる。
【０１１５】
また、図１２に示すように、パッケージ４０の窓部４１の上下方向の最大長さＬ６は、個包装体２０の外部から視認可能な動物図柄３１の上下方向の長さＬ２以上であることが好ましい（Ｌ６≧Ｌ２）。また、パッケージの奥行方向（個包装体２０の幅方向）における窓部４１の最大幅Ｗ４は、個包装体２０の外部から視認可能な動物図柄３１の幅方向の長さＷ３以上であることが好ましい。（Ｗ４≧Ｗ３）。そうすることで、窓部４１から視認される個包装体２０の動物図柄３１は、上下方向や幅方向に欠けにくく、動物図柄３１及びその上下方向がユーザーに認識されやすくなる。
【０１１６】
また、パッケージ４０の外部から、パッケージ４０の外表面の動物図柄３５と、窓部４１を介した個包装体２０の動物図柄３１の両方が視認可能であることが好ましいが、一方のみが視認可能であってもよい。また、パッケージ４０が動物図柄３５及び窓部４１を有していなくてもよい。
【０１１７】
以上、上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【符号の説明】
【０１１８】
１  （生理用）ナプキン（吸収性物品）、
２  吸収体、３  トップシート（肌側シート）、
４  バックシート、５  ウィング部、
７  圧縮凹部（凹部）、８  点状圧縮部、９  粘着部
１０  包装材、
１０１  内側面（内側になる面）、１０２  外側面（反対面）、
１１  テープ、１２  剥離シート、１３  剥離シート、１４  粘着剤、
２０  個包装体（吸収性物品包装体）、
３０〜３５  動物図柄、
４０  パッケージ、４１  窓部、４２  商品名、
【図１】
2018104100.tif 000003
【図２】
2018104100.tif 000004
【図３】
2018104100.tif 000005
【図４】
2018104100.tif 000006
【図５】
2018104100.tif 000007
【図６】
2018104100.tif 000008
【図７】
2018104100.tif 000009
【図８】
2018104100.tif 000010
【図９】
2018104100.tif 000011
【図１０】
2018104100.tif 000012
【図１１】
2018104100.tif 000013
【図１２】
2018104100.tif 000014